(57)【要約】【課題】モータを起動する必要のないサドルのある騎乗練習機を提供する。【解決手段】最少一つのクランク１５が設けられている支持枠１０と、クランク１５に設けられてクランク１５に駆動されるサドルと、クランク１５を駆動してサドルを周期性に回転させる駆動装置２０を含む。駆動装置２０はモータ２１を含み、それには軸２２が含まれ、歯車またはチェンホイールまたは滑車のような連結装置３０によって軸１３またはクランク１５に連結される。サドルは可動にクランク１５に設けられてクランク１５に相対して移動可能である。モータ２１が起動されていない場合、尻振りの動作によって、運動の目的を達成可能である。また、サドルはしっかりと連結装置３０または駆動装置２０に連結されていないので、サドルは慣性によってクランク１５に相対して前後の緩衝移動動作を行うことが可能である。【選択図】図６
0003127266.tif 000002
【実用新案登録請求の範囲】
【請求項１】
少なくとも一つのクランク（１５）が設けられている支持枠（１０）と、
クランク（１５）に設けられてクランク（１５）に駆動されるサドル（４０）と、
クランク（１５）を駆動してサドル（４０）を周期性に回転させる駆動装置（２０）とを備え、
サドル（４０）は可動にクランク（１５）に設けられてクランク（１５）に相対して移動可能であり、サドル（４０）は騎乗者に駆動されて駆動装置（２０）を起動する必要のないことを特徴とする騎乗練習機。
【請求項２】
架設部材（１６）はクランク（１５）に連結され、サドル（４０）には最少一つの駆動アーム（４６）が具えられてクランク（１５）の架設部材（１６）に架設されることを特徴とする請求項１に記載の騎乗練習機。
【考案の詳細な説明】
【技術分野】
【０００１】
本考案は、サドルが騎乗者に作動されてモータを起動する必要のない騎乗練習機に関する。
【背景技術】
【０００２】
従来の騎乗練習機には支持枠に架設されるサドルと、連接部材を経由してサドルに連結されるモータがあり、サドルはモータに駆動されて上下または前後または左右等馬または暴れる牛を乗った類似動作を行うことが可能である。
【考案の開示】
【考案が解決しようとする課題】
【０００３】
しかしながら、従来の騎乗練習機の連接部材はサドルに固定されてサドルはモータに駆動されるが、モータが作動されていない場合、サドルは依然しっかりとモータに連結されて騎乗者に作動されない。
したがって本考案の目的はモータを起動する必要のないサドルのある騎乗練習機を提供することにある。
【課題を解決するための手段】
【０００４】
上述の目的を達成するために本考案の請求項に記載の騎乗練習機は最少一つのクランク１５が設けられている支持枠１０と、クランク１５に設けられてクランク１５に駆動されるサドル４０と、クランク１５を駆動してサドル４０を周期性に回転させる駆動装置２０を含む。サドル４０は可動にクランク１５に設けられてクランク１５に相対して移動可能であり、サドル４０は騎乗者に駆動されて駆動装置２０を起動する必要がない。
【考案を実施するための最良の形態】
【０００５】
以下、本考案の実施例を図面に基づいて説明する。
図１から図５、図１１、図１２に示すように、騎乗練習機全体には最少一本上に延伸する棒１１と、棒１１に取り付けられてサドル４０の架設に供される横梁１２と、支持枠１０または横梁１２の後側１４に設けられる軸１３と、軸１３に固定されてそれの末端にそれぞれ例えば滑車のような架設部材１６が設けられている二つのクランク１５が含まれる。支え棒１７は支持枠１０または横梁１２の前側１８に設けられ、一つまたは二つ例え滑車のような架設部材１９は支え棒１７に設けられて可動にサドル４０の架設に供される。
【０００６】
駆動装置２０は支持枠１０または横梁１２の前側１８に設けられるモータ２１を含み、それには軸２２が含まれて例えば歯車またはチェンホイールまたは滑車のような連結装置３０によって軸１３またはクランク１５に連結され、そのために軸１３またはクランク１５は駆動装置２０に駆動されて回転する。連結装置３０には最少一本または二本の軸３１、３２が回転可能に支持枠１０または横梁１２に架設される（図６、図７に示す）。それにはそれぞれ滑車３３があり、例えば軸３１の滑車３３はベルト３４によってモータ２１の軸２２に連結され、軸３１は別のベルト３５によって別の軸３２の滑車３３に連結され、また他の滑車３６は軸１３に設けられ、ベルト３７によって別の軸３２に連結され、それによって軸１３またはクランク１５は駆動装置２０に駆動される。
【０００７】
支持枠１０は、横梁１２の前側１８から上へ突き出す突起２４と、突起２４に設けられている最少一つまたは二つの敷物２５、２６と、突起２４に設けられて最少一つまたは二つそれぞれ架設部材１９に合わせた滑車２８のある定位置棒２７を含む。サドル４０は、後または前側４２に設けられ、並びに支持枠１０の架設部材１９に設けられる最少一本または二本の枠棒４１が含まれ、かつそれは枠棒４１が支持枠１０から離脱しないように滑車２８に位置限定される。連結棒４３は枠棒４１の前側４２に固定されて二本の枠棒４１を一緒に固定し、かつ敷物２５まで作用して枠棒４１とサドル４０が支持枠１０に相対して後へ移動するのを制限する。サドル４０には座板４４が含まれ、それには敷物２６に作用する砧４５があり、枠棒４１とサドル４０が支持枠１０に相対して前へ移動するのを制限する。
【０００８】
サドル４０は、前または後側４７に設けられてある最少一つまたは二つの駆動アーム４６を含む。それには適当な円弧が設けられて支持枠１０またはクランク１５の架設部材１６に架設することに供され、そのために駆動アーム４６はクランク１５に駆動されて前後や上下または周期性に回転可能である。その中、駆動アーム４６は可動に支持枠１０またはクランク１５の架設部材１６に架設されているがクランク１５に固定されていないので、使用者は尻振りの動作（図１１、１２に示すように）によって馬乗りまたは暴れる牛に乗った類似動作を模擬可能となる。
【０００９】
作動時、クランク１５はモータ２１に駆動されて前後や上下または周期性をもって回転可能である。駆動アーム４６には適当な円弧があるのでしっかりと支持枠１０またはクランク１５の架設部材１６に架設されることが可能で、そのためにクランク１５がモータ２１に駆動されるとサドル４０は慣性によってクランク１５に相対して緩衝移動を行い、無理やりにクランク１５に引き戻される動作が起きない。クランク１５がモータ２１に駆動される速度が速いと、サドル４０が前後や上下に移動する動作が大きくなり、速度が遅いとと小さくなる。
【００１０】
連結棒４８は駆動アーム４６に固定されて二本の駆動アーム４６を一緒にしっかりと固定し、最少一本または二本の位置限定棒４９は各駆動アーム４６に設けられて架設部材１６を駆動アーム４６と位置限定棒４９の間に挟みつけて位置限定する。それによって駆動アーム４６は前後または弧形のスライド動作だけを行って支持枠１０から離脱しない。サドル４０には最少一つまたは二つの鐙５０が含まれて騎乗者の足踏みに供される。
【００１１】
図１１及び図１２に示すように、モータ２１が起動されていない場合、使用者は尻振りの動作によって馬乗りまたは暴れる牛に乗った類似動作を模擬し、運動の目的を達成可能である。また、サドル４０はしっかりと連結装置３０または駆動装置２０に連結されていないので、サドル４０は慣性によってクランク１５に相対して前後の緩衝移動動作を行うことが可能で、騎乗者はより安全に騎乗して傷害する恐れがない。
【図面の簡単な説明】
【００１２】
【図１】本考案の実施例による騎乗練習機を示す立体図である。
【図２】本考案の実施例による騎乗練習機の下方から見た状態を示す立体図である。
【図３】本考案の実施例による騎乗練習機を示す側面図である。
【図４】図３のまるで囲まれた部分の拡大図である。
【図５】本考案の実施例による騎乗練習機を示す後方から見た立体図である。
【図６】本考案の実施例による騎乗練習機の駆動装置および連結装置を示す上方から見た立体図である。
【図７】本考案の実施例による騎乗練習機の駆動装置および連結装置を示す側面から見た立体図である。
【図８】本考案の実施例による騎乗練習機の動作状態を示す図（一）である。
【図９】本考案の実施例による騎乗練習機の動作状態を示す図（二）である。
【図１０】本考案の実施例による騎乗練習機の動作状態を示す図（三）である。
【図１１】本考案の実施例による騎乗練習機の使用状態を示す図（一）である。
【図１２】本考案の実施例による騎乗練習機の使用状態を示す図（二）である。
【図１３】本考案の別の実施例による騎乗練習機を示す側面からみた立体図である。
【符号の説明】
【００１３】
１０  支持枠、１５  クランク、２０  駆動装置、４０  サドル
【図１】
0003127266.tif 000003
【図２】
0003127266.tif 000004
【図３】
0003127266.tif 000005
【図４】
0003127266.tif 000006
【図５】
0003127266.tif 000007
【図６】
0003127266.tif 000008
【図７】
0003127266.tif 000009
【図８】
0003127266.tif 000010
【図９】
0003127266.tif 000011
【図１０】
0003127266.tif 000012
【図１１】
0003127266.tif 000013
【図１２】
0003127266.tif 000014
【図１３】
0003127266.tif 000015
【手続補正書】
【提出日】平成18年9月22日(2006.9.22)
【手続補正１】
【補正対象書類名】実用新案登録請求の範囲
【補正対象項目名】請求項１
【補正方法】変更
【補正の内容】
【請求項１】
少なくとも一つのクランク（１５）が設けられている支持枠（１０）と、
クランク（１５）に設けられてクランク（１５）に駆動されるサドル（４０）と、
クランク（１５）を駆動してサドル（４０）を周期的に回転させる駆動装置（２０）とを備え、
サドル（４０）は可動にクランク（１５）に設けられてクランク（１５）に相対して移動可能であることを特徴とする騎乗練習機。